(57)【要約】【課題】吐水装置の小型化を図れる技術を提供する。【解決手段】ホース挿通孔が形成された装置本体３６と、ホース挿通孔に抜挿可能に挿通される給水ホースと、給水ホースに接続される吐水ヘッド２６とを有するヘッドユニット５６と、装置本体３６に吐水ヘッド２６を脱着可能に装着するヘッド装着機構５４と、を備え、ヘッド装着機構５４は、ヘッドユニット５６及び装置本体３６のうちの一方に取り付けられ、それらのうちの他方に係合することにより吐水ヘッド２６を装着状態に保持するバネ部材５８を有し、バネ部材５８は、線バネを用いて構成され、吐水ヘッド２６の周りの周方向に延びるように設けられる。【選択図】図７
2019027251.tif 000002
【特許請求の範囲】
【請求項１】
ホース挿通孔が形成された装置本体と、
前記ホース挿通孔に抜挿可能に挿通される給水ホースと、前記給水ホースに接続される吐水ヘッドとを有するヘッドユニットと、
前記装置本体に前記吐水ヘッドを脱着可能に装着するヘッド装着機構と、を備え、
前記ヘッド装着機構は、前記ヘッドユニット及び前記装置本体のうちの一方に取り付けられ、それらのうちの他方に係合することにより前記吐水ヘッドを装着状態に保持するバネ部材を有し、
前記バネ部材は、線バネを用いて構成され、前記吐水ヘッドの周りの周方向に延びるように設けられる吐水装置。
【請求項２】
前記バネ部材は、前記装置本体に取り付けられる請求項１に記載の吐水装置。
【請求項３】
前記ヘッドユニット及び前記装置本体のうちの一方は、中空構造の外部部材と、前記外部部材の内部に収容される内部部材とを有し、
前記内部部材は、挿入口から奥側に広がる空間を画定し、前記バネ部材が組み込まれたバネユニット又は前記バネ部材が収容されるバネ収容部を有し、
前記挿入口は、前記外部部材の内部に収容される他の内部部材、又は、前記外部部材により外側から覆われる請求項１または２に記載の吐水装置。
【請求項４】
前記ヘッド装着機構は、差込口から奥側に広がる隙間が形成され、前記隙間に前記バネ部材が収められたバネ保持部材を有し、
前記バネ保持部材及び前記バネ部材は、前記差込口から奥側に前記バネ部材を差し込むことにより、前記バネ保持部材に前記バネ部材を装着可能に構成される請求項１から３のいずれかに記載の吐水装置。
【請求項５】
前記バネ部材は、折り返し部と前記折り返し部から両端側に延びる一対の腕部とを有し、
前記一対の腕部のそれぞれは、前記ヘッドユニット及び前記装置本体のうちの他方に係合することにより前記吐水ヘッドを装着状態に保持する係合部を有する請求項１から４のいずれかに記載の吐水装置。
【発明の詳細な説明】
【技術分野】
【０００１】
本発明は、吐水装置に関する。
【背景技術】
【０００２】
従来より、ホース引き出し式の吐水装置が知られている。この吐水装置は、装置本体のホース挿通孔に抜挿可能に挿通される給水ホースと、給水ホースに接続される吐水ヘッドとを備え、装置本体に吐水ヘッドが脱着可能に装着されている。特許文献１には、装置本体に吐水ヘッドを脱着可能に装着するヘッド装着機構に板バネを用いた吐水装置が開示されている。この板バネは、ホース挿通孔に対する給水ホースの抜挿方向に全体が延びるように設けられている。
【先行技術文献】
【特許文献】
【０００３】
【特許文献１】特開２００６−１０４６８１号公報
【発明の概要】
【発明が解決しようとする課題】
【０００４】
吐水装置の意匠性の面からは、吐水装置の小型化が要求されている。本発明者は、吐水装置の小型化の観点から、特許文献１のヘッド装着機構に関して、改良の余地があるとの認識を得た。
【０００５】
本発明のある態様は、このような課題に鑑みてなされ、その目的の１つは、吐水装置の小型化を図れる技術を提供することにある。
【課題を解決するための手段】
【０００６】
本発明の第１態様は吐水装置である。第１態様の吐水装置は、ホース挿通孔が形成された装置本体と、前記ホース挿通孔に抜挿可能に挿通される給水ホースと、前記給水ホースに接続される吐水ヘッドとを有するヘッドユニットと、前記装置本体に前記吐水ヘッドを脱着可能に装着するヘッド装着機構と、を備え、前記ヘッド装着機構は、前記ヘッドユニット及び前記装置本体のうちの一方に取り付けられ、それらのうちの他方に係合することにより前記吐水ヘッドを装着状態に保持するバネ部材を有し、前記バネ部材は、線バネを用いて構成され、前記吐水ヘッドの周りの周方向に延びるように設けられる。
【０００７】
第１態様によれば、バネ部材に板バネを用い、ホース挿通孔に対する給水ホースの抜挿方向に全体が延びるように設ける場合より、バネ部材の抜挿方向での寸法を縮小できる。これに伴い、バネ部材の抜挿方向での配置スペースを縮小でき、吐水装置全体の小型化を図れる。
【図面の簡単な説明】
【０００８】
【図１】本実施形態の吐水装置の設置状態を示す側面図である。
【図２】本実施形態の吐水ユニットの構成図である。
【図３】本実施形態の吐水装置の側面断面図である。
【図４】図３の拡大図である。
【図５】本実施形態の未変形状態にあるヘッドホルダーの斜視図である。
【図６】図４の拡大図である。
【図７】図６のＡ−Ａ線断面図である。
【図８】本実施形態のバネ保持部材の斜視図である。
【図９】本実施形態のバネ部材が装着されたバネ保持部材を示す側面図である。
【図１０】図１０（ａ）は、吐水ヘッドを抜け方向側に変位させようとする状態を示す断面図であり、図１０（ｂ）は、その途中状態を示す断面図であり、図１０（ｃ）は、その変位後の状態を示す断面図である。
【図１１】図１１（ａ）は、吐水ヘッドを挿し方向側に変位させている途中状態を示す断面図であり、図１１（ｂ）は、その変位後の状態を示す断面図である。
【図１２】本実施形態のセンサ保持部材を示す斜視図である。
【図１３】本実施形態のヘッドホルダーのバネ収容部を示す断面図である。
【図１４】本実施形態のバネ保持部材へのバネ部材の装着方法を説明するための図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の吐水ユニット１０に用いられる吐水装置１２の設置状態を示す側面図である。本実施形態の吐水装置１２はキッチン等の流し台１４の表面に設置される。流し台１４は、表側空間１４ａと裏側空間１４ｂを隔てるとともに吐水装置１２とは別体に設けられ、吐水装置１２を支持する基体の一例となる。
【００１１】
図２は、吐水ユニット１０の構成図である。本図では水路を破線で示す。本実施形態の吐水ユニット１０は水栓として機能する。吐水ユニット１０は、主に、吐水装置１２と、温度調整弁１６と、流量調整弁１８と、電気駆動弁２０と、制御部２２と、を備える。
【００１２】
図１、図２に示すように、吐水装置１２は、給水源から給水路２４を通して送られる水を後述する吐水ヘッド２６の吐水口２６ａから吐き出し可能である。給水路２４には、上流側から下流側にかけて順に、温度調整弁１６、流量調整弁１８、電気駆動弁２０が設置される。各弁１６、１８、２０は裏側空間１４ｂに配置される。
【００１３】
吐水装置１２は、所定の検知エリア内での被検知物の有無を検知するための第１センサ部材２８及び第２センサ部材３０を備える。第１センサ部材２８及び第２センサ部材３０のそれぞれは光学センサ、つまり、非接触式センサである。第１センサ部材２８の検知エリアは、後述する吐水管４２の入口部４６ａの外側に設けられる。第２センサ部材３０の検知エリアは、後述する吐水管４２の外周側に設けられる。
【００１４】
温度調整弁１６は湯水混合弁であり、温水供給管１６ａから供給される温水と冷水供給管１６ｂから供給される冷水の混合比を調整することにより、給水路２４の吐水装置１２側に流出する水の温度を調整可能である。この温度は、吐水装置１２に組み込まれる第１操作部材３２に対する操作を通じ、温度調整弁１６を作動させることにより調整される。
【００１５】
流量調整弁１８は、弁部の開度を調整することにより、給水路２４の吐水ヘッド２６側に流出する水の流量を調整可能である。この流量は、吐水装置１２に組み込まれる第２操作部材３４に対する操作を通じ、流量調整弁１８を作動させることにより調整される。
【００１６】
電気駆動弁２０は、電磁弁、電動弁等である。吐水ヘッド２６は、電気駆動弁２０が開状態にあるときに吐水する吐水状態となり、電気駆動弁２０が閉状態にあるときに吐水が停止する吐水停止状態となる。吐水ヘッド２６は、吐水状態にあるとき、温度調整弁１６、流量調整弁１８により調整された温度かつ流量の吐水流を吐き出す。
【００１７】
制御部２２は、ワンチップマイクロコンピュータ等であり、ＣＰＵ、ＲＡＭ、ＲＯＭ等を組み合わせて構成される。本実施形態の制御部２２は、吐水装置１２に組み込まれる。制御部２２は、第１センサ部材２８や第２センサ部材３０の検知結果に応じて電気駆動弁２０を開閉するように制御する。第１センサ部材２８や第２センサ部材３０を用いることで、操作部材３２、３４に対する接触を伴うことなく、ハンズフリーで吐水ヘッド２６の吐水の有無を切り替えられる。このように、吐水ヘッド２６は、第１センサ部材２８や第２センサ部材３０の検知結果に基づき吐水するためのものである。
【００１８】
図３は、吐水装置１２の側面断面図である。図１、図３に示すように、吐水装置１２は、主に、装置本体３６と、ヘッドユニット５６と、ヘッド装着機構５４と、を備える。吐水装置１２はヘッド装着機構５４に特徴があるが、先に周辺構造から説明する。
【００１９】
装置本体３６は、支持部材４０と、吐水管４２と、ヘッドホルダー４４とを有する。支持部材４０は、不図示のねじ構造等を用いて流し台１４に固定される。吐水管４２は、支持部材４０により支持される。吐水管４２は、いわゆるグースネック状をなしている。本実施形態の吐水管４２は金属を素材として構成される。
【００２０】
装置本体３６には、入口部４６ａから奥側に広がり出口部４６ｂに至る内部通路４６が形成される。本実施形態の内部通路４６は、吐水管４２や支持部材４０に形成される。本実施形態の入口部４６ａは、吐水管４２の先端部に設けられ、下向きに開いている。
【００２１】
図４は、図３の拡大図である。図５は、未変形状態にあるヘッドホルダー４４の斜視図である。ヘッドホルダー４４は、内部通路４６の入口側部分に収容され、ビス等の締結具４８を用いて固定される。本実施形態のヘッドホルダー４４は樹脂を素材として構成される一体成形品である。ヘッドホルダー４４は、ホース挿通孔４４ａが形成される孔壁部４４ｂと、孔壁部４４ｂの外側に設けられる隔壁部４４ｃとを有する。また、ヘッドホルダー４４は、吐水ヘッド２６の出し入れ箇所を少なくとも残して入口部４６ａを部分的に塞ぐ端板部４４ｄと、孔壁部４４ｂの奥側に設けられるホースガイド部４４ｅとを有する。隔壁部４４ｃは、内部通路４６の内壁面との間に第１センサ部材２８を収容するセンサ収容室５２を形成する。本実施形態の隔壁部４４ｃは、センサ収容室５２とは壁厚方向の反対側にて内部通路４６の内壁面との間に吐水ヘッド２６を収容するヘッド収容室５０を形成する。ホースガイド部４４ｅは、内部通路４６内に曲げ変形した状態で挿通され、内側に挿通される給水ホース３８をガイドする役割を持つ。
【００２２】
ヘッドユニット５６は、給水ホース３８と、給水ホース３８の下流端部に接続される吐水ヘッド２６とを有する。
【００２３】
給水ホース３８は、フレキシブルホース等であり、可撓性を持つ素材を用いて構成される。給水ホース３８の内部には前述の給水路２４が形成される。給水ホース３８は、ヘッドホルダー４４のホース挿通孔４４ａに抜挿可能に挿通される。以下、給水ホース３８の抜挿方向Ｐａのうち、ホース挿通孔４４ａに対して給水ホース３８が抜ける方向を抜け方向Ｐｂといい、給水ホース３８が挿される方向を挿し方向Ｐｃという。給水ホース３８は、内部通路４６を通して出口部４６ｂから流し台１４の裏側空間１４ｂに引き出され（図１参照）、その裏側空間１４ｂに配置される電気駆動弁２０に接続される（図２参照）。
【００２４】
本実施形態の吐水ヘッド２６は、内部通路４６の入口側部分、詳しくは、前述のヘッド収容室５０内に配置される。吐水ヘッド２６は、吐水口２６ａが形成されるヘッド本体２６ｂと、ヘッド本体２６ｂと給水ホース３８を接続するカプラ２６ｃとを有する。ヘッド本体２６ｂやカプラ２６ｃは筒状断面をなす。ヘッド本体２６ｂやカプラ２６ｃの内部には通水路（不図示）が形成される。吐水ヘッド２６は、給水ホース３８から流入する水を通水路を通して吐水口２６ａから吐き出し可能である。
【００２５】
図６は、図４の拡大図である。ヘッド装着機構５４は、装置本体３６に吐水ヘッド２６を脱着可能に装着するためのものである。ヘッド装着機構５４は、装置本体３６に取り付けられるバネ部材５８と、ヘッドユニット５６に設けられる第１被係合部５６ａと、バネ部材５８を保持するバネ保持部材６０とを有する。
【００２６】
図７は、図６のＡ−Ａ線断面図である。本図では吐水ヘッド２６のカプラ２６ｃ内の給水ホース３８を省略する。図６、図７に示すように、本実施形態のバネ部材５８は、装置本体３６のヘッドホルダー４４にバネ保持部材６０を介して取り付けられる。バネ部材５８は、バネ性をもつ金属製の線バネを用いて構成される。バネ部材５８は、単数の線バネを折り曲げた形状である。本実施形態のバネ部材５８は、同一の平面上に全体が位置するように単数の線バネを折り曲げた形状である。バネ部材５８は、ヘッドユニット５６の周りの周方向に延びるように設けられる。ここでの周方向とは、吐水ヘッド２６や給水ホース３８の中心軸線を中心とする円の円周方向でもある。バネ部材５８の詳細は後述する。
【００２７】
第１被係合部５６ａは、バネ部材５８の係合部５８ｃ（後述する）が係合することにより、装置本体３６に吐水ヘッド２６が装着された状態に保持するためのものである。第１被係合部５６ａは、バネ部材５８に対して、ヘッドユニット５６の径方向に対向する位置でヘッドユニット５６に設けられる。ここでの径方向とは、吐水ヘッド２６や給水ホース３８の中心軸線を中心とする円の円周方向でもある。本実施形態の第１被係合部５６ａは吐水ヘッド２６のカプラ２６ｃの外周面に設けられる。本実施形態の第１被係合部５６ａは、吐水ヘッド２６の外周面に凸状をなして設けられる。詳しくは、吐水ヘッド２６の外周面に周方向に連続する凸状であって、吐水ヘッド２６の挿し方向Ｐｃに向かって拡径するテーパー状をなして設けられる。
【００２８】
図８は、バネ保持部材６０の斜視図である。図９は、バネ部材５８が装着されたバネ保持部材６０を示す側面図である。バネ保持部材６０は、バネ部材５８に対して給水ホース３８の抜挿方向Ｐａに間を置いて配置される一対の押さえ部６０ａを有する。一対の押さえ部６０ａは、バネ部材５８の抜挿方向Ｐａでの変位を規制する押さえとして機能する。本実施形態の押さえ部６０ａは環状をなし、その内側には給水ホース３８が挿通される。
【００２９】
図７〜図９に示すように、一対の押さえ部６０ａの間にはスリット状の差込口６０ｂから奥側に広がる隙間６０ｃが形成され、その隙間６０ｃにはバネ部材５８が収められる。差込口６０ｂは、吐水ヘッド２６の径方向外側（図７の下側、図９の右側）に向かって開いている。バネ部材５８は、後述のように、一対の押さえ部６０ａの間の隙間６０ｃに差込口６０ｂから差込方向Ｐｄに差し込まれることで、バネ保持部材６０に装着される。
【００３０】
バネ保持部材６０には、バネ部材５８の差込口６０ｂへの差込方向Ｐｄでのバネ部材５８の変位を規制可能な第１ストッパ部６０ｄと、バネ部材５８の差込口６０ｂからの抜けを規制可能な抜け止め部６０ｅとが設けられる。第１ストッパ部６０ｄと抜け止め部６０ｅは一対の押さえ部６０ａの間に設けられ、一対の押さえ部６０ａを接続している。
【００３１】
図７に示すように、バネ部材５８は、折り返し部５８ａと、折り返し部５８ａから両端側に延びる一対の腕部５８ｂとを有する。折り返し部５８ａは、吐水ヘッド２６の径方向外側に向かって凸状をなすように折り曲げられており、その曲げ内側にはバネ保持部材６０の第１ストッパ部６０ｄが配置される。バネ部材５８は、バネ保持部材６０の第１ストッパ部６０ｄに折り返し部５８ａが当たることで、その差込方向Ｐｄでの変位が規制される。
【００３２】
一対の腕部５８ｂの間にはヘッドユニット５６の吐水ヘッド２６が配置される。一対の腕部５８ｂのそれぞれは、折り返し部５８ａ側から自由端側に向かって、係合部５８ｃと、引っ掛け部５８ｄと、被ガイド部５８ｅと、を有する。
【００３３】
本実施形態の係合部５８ｃは、二つの直線状部分を径方向外側に凸状をなす曲げ部分を介して接続した形状をなす。本実施形態の係合部は、バネ部材５８が弾性変形していない自然状態にあるとき、ヘッドホルダー４４のホース挿通孔４４ａの内壁面より径方向内側にはみ出るように設けられる。
【００３４】
引っ掛け部５８ｄは、吐水ヘッド２６の径方向外側に向かって凸状をなすように折り曲げられ、その曲げ内側にはバネ保持部材６０の抜け止め部６０ｅが配置される。バネ部材５８は、一対の腕部５８ｂそれぞれの引っ掛け部５８ｄが抜け止め部６０ｅに引っ掛けられることで、バネ保持部材６０の差込口６０ｂからの抜けが規制される。
【００３５】
被ガイド部５８ｅは、一対の腕部５８ｂの間に形成される溝部の底側から開放口側に向かうにつれて、その溝部の幅を広げるように設けられる。
【００３６】
以上のバネ部材５８は、一対の腕部５８ｂそれぞれの引っ掛け部５８ｄが抜け止め部６０ｅに引っ掛けられ、かつ、折り返し部５８ａが第１ストッパ部６０ｄに当たることで、バネ保持部材６０に対する装着状態が保持される。
【００３７】
次に、ヘッド装着機構５４の動作を説明する。
図１０（ａ）は、図７のＢ−Ｂ線断面図である。ヘッドユニット５６の第１被係合部５６ａは、ホース挿通孔４４ａからの給水ホース３８の抜け出しを伴い吐水ヘッド２６を抜け方向Ｐｂ側に変位させようとしたとき、バネ部材５８の係合部５８ｃと抜挿方向Ｐａに係合する。これにより、バネ部材５８は、吐水ヘッド２６の抜け方向Ｐｂ側への変位を規制し、装置本体３６に吐水ヘッド２６が装着された装着状態に保持する。
【００３８】
図１０（ｂ）に示すように、吐水ヘッド２６を更に抜け方向Ｐｂ側に変位させようとすると、バネ部材５８の係合部５８ｃは、第１被係合部５６ａとの係合を解除する方向Ｐｅに弾性変形するように、第１被係合部５６ａによりガイドされる。図１０（ｃ）に示すように、バネ部材５８の弾性変形に起因する弾性力に抗して、吐水ヘッド２６を抜け方向Ｐｂに変位させると、吐水ヘッド２６の第１被係合部５６ａからバネ部材５８が離れ、装置本体３６に対するバネ部材５８の係合が解除される。このとき、バネ部材５８は、第１被係合部５６ａにより弾性変形させられる前の形状に戻るように復元する（方向Ｐｆ参照）。
【００３９】
図６に示すように、ヘッドユニット５６には第１被係合部５６ａと挿抜方向Ｐａに隣り合う位置に第２被係合部５６ｂが設けられる。本実施形態の第２被係合部５６ｂは、吐水ヘッド２６のカプラ２６ｃの外周面に設けられる。本実施形態の第２被係合部５６ｂは、吐水ヘッド２６の外周面に凸状をなして設けられる。詳しくは、吐水ヘッド２６の外周面に周方向に連続する凸状であって、吐水ヘッド２６の抜け方向Ｐｂに向かって拡径するテーパー状をなして設けられる。
【００４０】
図１１（ａ）に示すように、ヘッドユニット５６の第２被係合部５６ｂは、ホース挿通孔４４ａへの給水ホース３８の挿し込みを伴い吐水ヘッド２６を挿し方向Ｐｃ側に変位させようとしたとき、バネ部材５８の係合部５８ｃと抜挿方向Ｐａに係合する。吐水ヘッド２６を更に挿し方向Ｐｃ側に変位させようとすると、バネ部材５８の係合部５８ｃは、第２被係合部５６ｂとの係合を解除する方向Ｐｇ１に弾性変形するように、第２被係合部５６ｂによりガイドされる。
【００４１】
図１１（ｂ）に示すように、バネ部材５８の弾性変形に起因する弾性力に抗して、吐水ヘッド２６を挿し方向Ｐｃに変位させる場合を考える。この場合、バネ部材５８の係合部５８ｃは、吐水ヘッド２６の第２被係合部５６ｂから離れ、吐水ヘッド２６の第１被係合部５６ａに抜挿方向Ｐａに係合可能な位置に配置される。これにより、吐水ヘッド２６は、ヘッド装着機構５４に装置本体３６に装着された状態になる。このとき、バネ部材５８は、第２被係合部５６ｂにより弾性変形させられる前の形状に戻るように方向Ｐｇ２に復元し、ヘッドユニット５６の第１被係合部５６ａに当たることによりクリック感を生じさせる。
【００４２】
以上の吐水装置１２の効果を説明する。
バネ部材５８は、線バネを用いて構成され、ヘッドユニット５６の周りの周方向に延びるように設けられる。よって、バネ部材５８に板バネを用い、その全体を抜挿方向Ｐａに延びるように設ける場合より、バネ部材５８の抜挿方向Ｐａでの寸法を縮小できる。これに伴い、バネ部材５８の抜挿方向Ｐａでの配置スペースを縮小でき、吐水装置１２全体の小型化を図れる。
【００４３】
バネ部材５８は、装置本体３６に取り付けられるため、ヘッドユニット５６にバネ部材５８を取り付ける場合と比べて、ヘッドユニット５６の重量の増大を避けられる。これに伴い、装置本体３６から取り外された吐水ヘッド２６を取り扱うときに良好な操作性を得られる。
【００４４】
バネ部材５８の一対の腕部５８ｂのそれぞれは、吐水ヘッド２６を装着状態に保持する係合部５８ｃを有する。よって、ヘッド装着機構５４に複数の係合部５８ｃを設けるうえで、複数の係合部５８ｃを個別のバネ部材に設ける場合と比べ、必要な部品点数を削減できる。
【００４５】
次に、吐水装置１２の他の特徴を説明する。
図１２は、センサ保持部材６２を示す斜視図である。センサ保持部材６２は、吐水管４２内に第１センサ部材２８や第２センサ部材３０を組み付けるときの作業性を高めるため、第１センサ部材２８や第２センサ部材３０を一体化する役割を果たす。
【００４６】
センサ保持部材６２は、吐水管４２内の内部通路４６の入口側に配置される第１センサ保持部６２ａと、内部通路４６の奥側に配置される第２センサ保持部６２ｂと、第１センサ保持部６２ａと第２センサ保持部６２ｂの間に設けられる中間部６２ｃとを有する。本実施形態の第１センサ保持部６２ａは、第１センサ部材２８を下側から支持することで第１センサ部材２８を保持する。本実施形態の第２センサ保持部６２ｂは、扁平な横断面形状の第２センサ部材３０を幅方向両側から挟持することで第２センサ部材３０を保持する。中間部６２ｃは吐水管４２の管軸方向に長い長尺状をなす（図４も参照）。第１センサ部材２８や第２センサ部材３０は、吐水管４２の内周面に当てられた状態でヘッドホルダー４４により支持されることで、吐水管４２内での位置が保持される。センサ保持部材６２は、第１センサ部材２８や第２センサ部材３０に当てられた状態でヘッドホルダー４４により支持されることで、吐水管４２内での位置が保持される。
【００４７】
図５、図６に示すように、ヘッドホルダー４４の孔壁部４４ｂは、給水ホース３８の抜挿方向Ｐａに間を置いて設けられる入口側部分４４ｂａ及び奥側部分４４ｂｂを有する。入口側部分４４ｂａは抜け方向Ｐｂ側にあり、奥側部分４４ｂｂは挿し方向Ｐｃ側にある。
【００４８】
ヘッドホルダー４４の孔壁部４４ｂは、入口側部分４４ｂａと奥側部分４４ｂｂの間に設けられるバネ収容部４４ｆを有する。図１３は、ヘッドホルダー４４のバネ収容部４４ｆを示す断面図である。図６、図１３に示すように、バネ収容部４４ｆは、挿入口４４ｇから奥側（図１２中下側）に広がる空間を画定し、バネ部材５８が組み込まれたバネユニット６４を収容する。ここでのバネユニット６４とはバネ部材５８とバネ保持部材６０を一つのユニットとして捉えたものである。バネ収容部４４ｆの挿入口４４ｇは、ヘッドユニット５６の径方向外側に向かって開いている。
【００４９】
バネユニット６４は、挿入口４４ｇから奥側に向かう挿入方向Ｐｈに挿入されることでバネ収容部４４ｆに収容される。バネ収容部４４ｆには、バネユニット６４の挿入口４４ｇへの挿入方向Ｐｈでのバネユニット６４の変位を規制可能な第２ストッパ部４４ｈが設けられる。バネユニット６４は、バネ収容部４４ｆの第２ストッパ部４４ｈに当たることで、その挿入方向Ｐｈでの変位を規制可能な当て部６４ａを有する。本実施形態の当て部６４ａは、バネ保持部材６０の押さえ部６０ａに設けられる。当て部６４ａは、環状の押さえ部６０ａに径方向外側に突き出るように設けられる。
【００５０】
図６、図７に示すように、ヘッドホルダー４４の挿入口４４ｇは、吐水管４２内に収容されるセンサ保持部材６２の中間部６２ｃにより外側から覆われることで、そのセンサ保持部材６２により塞がれる。ここでの「外側」とは、バネ収容部４４ｆの挿入口４４ｇからのバネユニット６４の挿入方向Ｐｈとは反対方向をいう。
【００５１】
（Ａ）これにより、バネ収容部４４ｆの挿入口４４ｇからのバネユニット６４の抜けをセンサ保持部材６２により規制でき、ヘッドホルダー４４にバネユニット６４を取り付けた状態を保持できる。よって、ヘッドホルダー４４にバネユニット６４を取り付けるうえで、ビス等の固定具を用いてヘッドホルダー４４にバネユニット６４を固定する作業を不要にできる。また、ビス等の固定具が不要となるため部品点数を削減できる。
【００５２】
ちなみに、（Ａ）と同様の効果を得る観点からは、ヘッドホルダー４４の挿入口４４ｇは、吐水管４２の内壁面により外側から覆われてもよい。また、ヘッドホルダー４４の挿入口４４ｇは、吐水管４２内に収容される内部部材として、センサ保持部材６２以外の他の内部部材により外側から覆われてもよい。ここでの「他の内部部材」としては、たとえば、第１センサ部材２８、３０等が挙げられる。この「他の内部部材」は、吐水管４２内での位置が保持されるように吐水管４２内に収容されていればよい。
【００５３】
図１４は、バネ保持部材６０へのバネ部材５８の装着方法を説明するための図である。図７、図１４に示すように、バネ部材５８は、バネ保持部材６０の隙間６０ｃに差込口６０ｂから奥側に向かう差込方向Ｐｉに差し込まれる。バネ部材５８は、一対の押さえ部６０ａの対向する面に対するスライドを伴いつつ奥側に差し込まれる。
【００５４】
バネ部材５８の被ガイド部５８ｅは、バネ保持部材６０の隙間６０ｃへの差し込みに伴い、バネ保持部材６０の抜け止め部６０ｅと接触する。被ガイド部５８ｅは、この状態で差込口６０ｂから奥側に差し込まれることで、バネ保持部材６０の抜け止め部６０ｅによって、バネ部材５８の弾性変形を伴い一対の腕部５８ｂを押し広げる方向Ｐｊにガイドされる。
【００５５】
バネ部材５８は、バネ保持部材６０の抜け止め部６０ｅから被ガイド部５８ｅが離れるまで差し込まれると、一対の腕部５８ｂを狭めるように復元する。これにより、一対の腕部５８ｂそれぞれの引っ掛け部５８ｄの内側にバネ保持部材６０の抜け止め部６０ｅが配置され、バネ保持部材６０にバネ部材５８が装着される。このように、バネ保持部材及びバネ部材５８は、バネ保持部材６０の差込口６０ｂから奥側にバネ部材５８を差し込むことにより、バネ保持部材６０にバネ部材５８を装着可能に構成される。これにより、バネ保持部材６０にバネ部材５８を簡易に装着できる。
【００５６】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００５７】
バネ部材５８は装置本体３６のヘッドホルダー４４に取り付けられ、バネ部材５８が係合する第１被係合部５６ａはヘッドユニット５６に設けられる例を説明した。この他にも、バネ部材５８はヘッドユニット５６に取り付けられ、バネ部材５８が係合する第１被係合部５６ａは装置本体３６に設けられてもよい。この場合、バネ部材５８は、装置本体３６の第１被係合部５６ａに係合することにより、吐水ヘッド２６を装着状態に保持することになる。別の捉え方をすると、バネ部材５８は、ヘッドユニット５６及び装置本体３６のうちの一方に取り付けられ、それらのうちの他方に係合することにより吐水ヘッド２６を装着状態に保持してもよいといえる。なお、装置本体３６に第１被係合部５６ａを設ける場合、第１被係合部５６ａとともに第２被係合部５６ｂを装置本体３６に設けてもよい。
【００５８】
吐水管４２は中空構造の外部部材であり、ヘッドホルダー４４は外部部材の内部に収容され、バネ収容部４４ｆを有する内部部材の一例として説明した。外部部材と内部部材の組み合わせはこれらに限定されるものではない。たとえば、バネ収容部４４ｆを有する内部部材は、吐水管４２内に配置される他の部材でもよい。
【００５９】
また、これら外部部材と内部部材は、ヘッドユニット５６及び装置本体３６のうち、バネ部材５８の取り付け相手となる相手構造が備えていればよい。実施形態では装置本体３６が相手構造となる例を説明したが、ヘッドユニット５６が相手構造となる場合、ヘッドユニット５６が外部部材と内部部材を備えてもよい。たとえば、ヘッドユニット５６の吐水ヘッド２６の外装ケーシングを外部部材とし、そのケーシング内にバネ収容部４４ｆを有する内部部材を収容してもよいということである。
【００６０】
内部部材のバネ収容部４４ｆにはバネ部材５８が組み込まれたバネユニット６４が収容される例を説明したが、バネユニット６４ではなくバネ部材５８のみが収容されてもよい。また、内部部材に対するバネユニット６４又はバネ部材５８の固定方法は特に限定されず、ビス等の固定具を用いて固定されてもよい。
【００６１】
バネ部材５８は線バネを用いて構成され、吐水ヘッド２６の周りの周方向に延びるように設けられていれば、その具体的な構造は特に限定されない。バネ部材５８は、吐水ヘッド２６の外部で周方向に延びるように設けられる例を説明したが、吐水ヘッド２６の内部で周方向に延びるように設けられてもよい。また、バネ保持部材６０へのバネ部材５８の装着に用いる構造は特に限定されない。
【００６２】
以上の実施形態、変形例により具体化される発明を一般化すると、以下の技術的思想が導かれる。以下、発明が解決しようとする課題に記載の態様を用いて説明する。
【００６３】
第２態様の吐水装置は、第１態様において、前記バネ部材は、前記装置本体に取り付けられてもよい。
この態様によれば、ヘッドユニットにバネ部材を取り付ける場合と比べて、ヘッドユニットの重量の増大を避けられる。
【００６４】
第３態様の吐水装置は、第１または第２態様において、前記ヘッドユニット及び前記装置本体のうちの一方は、中空構造の外部部材と、前記外部部材内に固定される内部部材とを有し、前記内部部材は、挿入口から奥側に広がる空間を画定し、前記バネ部材が組み込まれたバネユニット又は前記バネ部材が収容されるバネ収容部を有し、前記外部部材は、前記挿入口を外側から覆ってもよい。
この態様によれば、内部部材にバネユニット又はバネ部材を取り付けるうえで、ビス等の固定具を用いて内部部材にバネユニット又はバネ部材を固定する作業を不要にできる。
【００６５】
第４態様の吐水装置は、第１から第３態様のいずれかにおいて、前記ヘッド装着機構は、差込口から奥側に広がる隙間が形成され、前記隙間に前記バネ部材が収められたバネ保持部材を有し、前記バネ保持部材及び前記バネ部材は、前記差込口から奥側に前記バネ部材を差し込むことにより、前記バネ保持部材に前記バネ部材を装着可能に構成されてもよい。
この態様によれば、バネ保持部材にバネ部材を簡易に装着できる。
【００６６】
第５態様の吐水装置は、第１から第４態様のいずれかにおいて、前記バネ部材は、折り返し部と前記折り返し部から両端側に延びる一対の腕部とを有し、前記一対の腕部のそれぞれは、前記ヘッドユニット及び前記装置本体のうちの他方に係合することにより前記吐水ヘッドを装着状態に保持する係合部を有してもよい。
この態様によれば、ヘッド装着機構に複数の係合部を設けるうえで、複数の係合部を個別のバネ部材に設ける場合と比べ、必要な部品点数を削減できる。
【符号の説明】
【００６７】
１２…吐水装置、２６…吐水ヘッド、３６…装置本体、３８…給水ホース、４４ａ…ホース挿通孔、４４ｆ…バネ収容部、４４ｇ…挿入口、５４…ヘッド装着機構、５６…ヘッドユニット、５８…バネ部材、５８ａ…折り返し部、５８ｂ…腕部、５８ｃ…係合部、６０…バネ保持部材、６０…バネ保持部材、６０ｂ…差込口、６０ｃ…隙間、６４…バネユニット。
【図１】
2019027251.tif 000003
【図２】
2019027251.tif 000004
【図３】
2019027251.tif 000005
【図４】
2019027251.tif 000006
【図５】
2019027251.tif 000007
【図６】
2019027251.tif 000008
【図７】
2019027251.tif 000009
【図８】
2019027251.tif 000010
【図９】
2019027251.tif 000011
【図１０】
2019027251.tif 000012
【図１１】
2019027251.tif 000013
【図１２】
2019027251.tif 000014
【図１３】
2019027251.tif 000015
【図１４】
2019027251.tif 000016